【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
累進めがねレンズ要素の処方方法であって、
レンズ装用者の少なくとも１つのライフスタイル・パラメータ及び少なくとも１つのバイオメトリック・パラメータの値又はカテゴリーを得るステップと、
前記得られた値又はカテゴリーを累進めがねレンズ設計の列に割り当てるステップであって、当該列は実質的に同一の加入度及び実質的に同一の遠用視力の視力処方を有する累進めがねレンズ設計を有し、当該列の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該列は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該列と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、割り当てるステップと、
前記レンズ装用者の前記得られた値又はカテゴリーに関連する値又は特性について、前記少なくとも２つのレンズ設計パラメータを有する、前記レンズ装用者のための累進めがねレンズ要素のための累進めがねレンズ設計を、前記列から選択するステップと、
からなる方法。
【請求項２】
前記中心−周辺領域サイズ・バランス値の範囲が、１０５°から１４０°の範囲にわたって前記遠用領域の角度サイズを変えることによって提供される、請求項１に記載の処方方法。
【請求項３】
前記中心−周辺領域サイズ・バランス値の範囲が、４０°から７５°の範囲にわたって前記近用領域の角度サイズを変えることによって提供される、請求項１に記載の処方方法。
【請求項４】
レンズ装用者の少なくとも１つのライフスタイル・パラメータが、
ａ．近用視力必要度、
ｂ．動体視力必要度、
ｃ．コンピュータ使用頻度、及び
ｄ．レンズ装用者の仕事及び／又は余暇のパターン
の値又はカテゴリーの範囲を含む、請求項１に記載の処方方法。
【請求項５】
前記レンズ装用者の少なくとも１つのライフスタイル・パラメータのそれぞれの値又はカテゴリーの範囲が、スコア化されるレンズ装用者の集団の範囲を含む、請求項４に記載の処方方法。
【請求項６】
前記レンズ装用者の少なくとも１つのバイオメトリック・パラメータのそれぞれの値又はカテゴリーの範囲が、スコア化されるレンズ装用者の集団の範囲を含む、請求項１に記載の処方方法。
【請求項７】
前記列に含まれる各累進めがねレンズ設計が同一の装着位置（ＰＯＷ）特性を有する、請求項１に記載の処方方法。
【請求項８】
前記装着位置特性が、
ａ．角膜頂点間距離、
ｂ．フレーム前傾角、及び
ｃ．フレーム・ラップ角のいずれか１つを含む、
請求項７に記載の処方方法。
【請求項９】
前記列に含まれる各累進めがねレンズ設計が、少なくとも２つのレンズ設計パラメータの少なくとも１つが、レンズ装用者が装着する当該レンズ設計を有する累進めがねレンズを支持するためのフレームのサイズ及び／又は形状情報に起因する少なくとも１つの値又は特性を有する、請求項１に記載の処方方法。
【請求項１０】
請求項１から９のいずれか１項に記載の処方方法のステップをコンピュータに実施させるコンピュータプログラム。
【請求項１１】
レンズ装用者のために累進めがねレンズ要素を処方するためのシステムであって、
プロセッサと、
前記プロセッサによって実行するための命令を備えてプログラムされたメモリと、
ユーザ入力装置と、
ユーザ出力装置と、
を備え、
前記命令が、前記プロセッサによって、
前記ユーザ入力装置を介して、レンズ装用者の少なくとも１つのライフスタイル・パラメータ及び少なくとも１つのバイオメトリック・パラメータの値又はカテゴリーを受け取り、
累進めがねレンズ設計の列へのアクセスであって、当該列は実質的に同一の加入度及び実質的に同一の遠用視力の視力処方を有する累進めがねレンズ設計を有し、当該列の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該列は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該列と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、当該列へのアクセスを得、
前記レンズ装用者の前記得られた値又はカテゴリーに関連する値又は特性について、前記少なくとも２つのレンズ設計パラメータを有する、前記レンズ装用者のための累進めがねレンズ要素のための累進めがねレンズ設計を、前記列から選択し、
前記ユーザ出力装置を介して、前記累進めがねレンズ要素のための前記選択された累進めがねレンズ設計を出力する、
ように実行されることができる、
システム。
【請求項１２】
物理的な累進めがねレンズ要素の作成方法であって、
レンズ装用者の少なくとも１つのライフスタイル・パラメータ及び少なくとも１つのバイオメトリック・パラメータの値又はカテゴリーを得るステップと、
前記得られた値又はカテゴリーを累進めがねレンズ設計の列に割り当てるステップであって、当該列は実質的に同一の加入度及び実質的に同一の遠用視力の視力処方を有する累進めがねレンズ設計を有し、当該列の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該列は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該列と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、割り当てるステップと、
前記レンズ装用者の前記得られた値又はカテゴリーに関連する値又は特性について、前記少なくとも２つのレンズ設計パラメータを有する、前記レンズ装用者のための物理的な累進めがねレンズ要素のための累進めがねレンズ設計を、前記列から選択するステップと、
前記選択された累進めがねレンズ要素を用いて、前記物理的な累進めがねレンズ要素を作成するステップと、
からなる方法。
【請求項１３】
レンズ装用者のために物理的な累進めがねレンズ要素を作成するためのシステムであって、
プロセッサと、
前記プロセッサによって実行するための命令を備えてプログラムされたメモリと、
ユーザ入力装置と、
ユーザ出力装置と、
レンズ要素製造装置と、
を備え、
前記命令が、前記プロセッサによって、
前記ユーザ入力装置を介して、レンズ装用者の少なくとも１つのライフスタイル・パラメータ及び少なくとも１つのバイオメトリック・パラメータの値又はカテゴリーを受け取り、
累進めがねレンズ設計の列へのアクセスであって、当該列は実質的に同一の加入度及び実質的に同一の遠用視力の視力処方を有する累進めがねレンズ設計を有し、当該列の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該列は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該列と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、当該列へのアクセスを得、
前記レンズ装用者の前記得られた値又はカテゴリーに関連する値又は特性について、前記少なくとも２つのレンズ設計パラメータを有する、前記レンズ装用者のための物理的な累進めがねレンズ要素のための累進めがねレンズ設計を、前記列から選択し、
前記ユーザ出力装置を介して、前記選択された累進めがねレンズ設計を前記レンズ要素製造装置に出力し、
前記選択された累進めがねレンズ設計を用いて、前記レンズ装用者のために前記物理的な累進めがねレンズ要素を製作する、
ように実行されることができる、
システム。
【請求項１４】
物理的な累進めがねレンズ要素の作成方法であって、
レンズ装用者の少なくとも１つのライフスタイル・パラメータ及び少なくとも１つのバイオメトリック・パラメータの値又はカテゴリーを得るステップと、
前記得られた値又はカテゴリーを累進めがねレンズ設計の集合に割り当てるステップであって、当該集合は実質的に同一の加入度及び実質的に同一の遠用視力の視力処方を有する累進めがねレンズ設計を有し、当該集合の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該集合は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該集合と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、割り当てるステップと、
前記レンズ装用者の前記得られた値又はカテゴリーに関連する値又は特性について、前記少なくとも２つのレンズ設計パラメータを有する、前記レンズ装用者のための物理的な累進めがねレンズ要素のための累進めがねレンズ設計を、前記集合から選択するステップと、
前記選択された累進めがねレンズ要素を用いて、前記物理的な累進めがねレンズ要素を作成するステップと、
からなる方法。
【請求項１５】
レンズ装用者のために物理的な累進めがねレンズ要素を作成するためのシステムであって、
プロセッサと、
前記プロセッサによって実行するための命令を備えてプログラムされたメモリと、
ユーザ入力装置と、
ユーザ出力装置と、
レンズ要素製造装置と、
を備え、
前記命令が、前記プロセッサによって、
前記ユーザ入力装置を介して、レンズ装用者の少なくとも１つのライフスタイル・パラメータ及び少なくとも１つのバイオメトリック・パラメータの値又はカテゴリーを受け取り、
累進めがねレンズ設計の集合へのアクセスであって、当該集合は実質的に同一の加入度及び実質的に同一の遠用視力の視力処方を有する累進めがねレンズ設計を有し、当該集合の累進めがねレンズ設計のそれぞれは、
遠用視力用の屈折度を提供する遠用領域と、
近用視力用の屈折度を提供する近用領域と、
前記遠用領域の屈折度から前記近用領域の屈折度へと変化する屈折度を有し、前記遠用領域に前記近用領域を連結する累進帯と
を規定する一組のレンズ設計パラメータによって特徴付けられ、当該集合は、それぞれ、ライフスタイル・パラメータ及びバイオメトリック・パラメータのそれぞれの特定の値又はカテゴリーに起因又は関連したそれぞれの値又は特性を有する遠用−近用領域サイズ・バランス、累進帯長、近用基準点挿入（ＮＲＰ）、及び中心−周辺領域サイズ・バランスから、少なくとも２つのレンズ設計パラメータが選択される異なる累進めがねレンズ設計であって、当該少なくとも２つのレンズ設計パラメータのそれぞれが当該集合と関連した値又は特性の各範囲からのものである異なる累進めがねレンズ設計を含み、レンズ装用者の少なくとも１つのバイオメトリック・パラメータの値又はカテゴリーが、レンズ装用者の、
ａ．単眼瞳孔距離、
ｂ．読書距離、及び
ｃ．読書作業中のレンズ装用者の頭部動作及び／又は眼球動作カテゴリーを含むレンズ装用者の視認行動パターンのいずれか１つの値又はカテゴリー
を含み、前記遠用−近用領域サイズ・バランスの値の範囲が、前記遠用領域及び／又は前記近用領域の２０°から−１６°迄の範囲内の角度サイズの変化量に相当し、ここで前記遠用領域の前記角度サイズは、前記加入度の４分の１の光学屈折率と等しい無限対物距離の輪郭線に合わせて光線トレースした双曲線を二乗平均平方根（ＲＭＳ）ぼやけに適合させたときの当該双曲線の２つの漸近線間の角度であり、前記近用領域の前記角度サイズは、前記標準加入度の装用者の読書距離に合わせて光線トレースしたＲＭＳぼやけに適合させた双曲線の２つの漸近線間の角度である、当該集合へのアクセスを得、
前記レンズ装用者の前記得られた値又はカテゴリーに関連する値又は特性について、前記少なくとも２つのレンズ設計パラメータを有する、前記レンズ装用者のための物理的な累進めがねレンズ要素のための累進めがねレンズ設計を、前記集合から選択し、
前記ユーザ出力装置を介して、前記選択された累進めがねレンズ設計を前記レンズ要素製造装置に出力し、
前記選択された累進めがねレンズ設計を用いて、前記レンズ装用者のために前記物理的な累進めがねレンズ要素を製作する、
ように実行されることができる、
システム。